(57)【要約】【課題】  通信回線を介して接続される複数のデータ端末装置の通信状況を知ることができる通信監視装置を提供する。【解決手段】  ＬＡＮ２を介して接続されるデータ端末装置３Ａ，３Ｂの通信状況を監視する通信監視装置１であって、通信しているデータ端末装置３Ａ，３ＢのＩＰアドレスを検出するとともに、データ端末装置３Ａ，３Ｂから送信される通話を開始することを表す通話開始パケットおよび通信を終了することを表す通話終了パケットを検出するトラフィック監視部５と、通話開始パケットおよび通話終了パケットが送信された時刻を検出するセッション情報処理部６と、検出されたデータ端末装置３Ａ，３ＢのＩＰアドレスを含む通信履歴情報を記憶する通信情報記憶部８と、通信履歴情報を表示する通信情報表示部９とを含む。【選択図】      図１
2005151174.tif 000002
【特許請求の範囲】
【請求項１】
通信回線を介して接続されるデータ端末装置の通信状況を監視する通信監視装置であって、
通信しているデータ端末装置の識別符号を検出する識別符号検出手段と、
前記データ端末装置から送信される通信を開始することを表す通信開始パケットおよび通信を終了することを表す通信終了パケットを検出するパケット検出手段と、
通信開始パケットおよび通信終了パケットが送信された時刻を検出する時刻検出手段と、
検出されたデータ端末装置の識別符号を含む通信履歴情報を記憶する記憶手段と、
通信履歴情報を報知する報知手段とを含むことを特徴とする通信監視装置。
【請求項２】
通信開始パケットが送信された時刻および通信終了パケットが送信された時刻に基づいて、データ端末装置による通信時間を求める計時手段をさらに含み、
前記記憶手段は、求められた通信時間を含む通信履歴情報を記憶し、
前記報知手段は、求められた通信時間を含む通信履歴情報を報知することを特徴とする請求項１記載の通信監視装置。
【請求項３】
前記記憶手段は、通信開始パケットが送信された時刻を含む通信履歴情報を記憶し、
前記報知手段は、通信開始パケットが送信された時刻を含む通信履歴情報を報知することを特徴とする請求項２記載の通信監視装置。
【請求項４】
前記記憶手段は、通信終了パケットが送信された時刻を含む通信履歴情報を記憶し、
前記報知手段は、通信終了パケットが送信された時刻を含む通信履歴情報を報知することを特徴とする請求項２または３記載の通信監視装置。
【請求項５】
前記報知手段は、前記記憶手段に通信履歴情報が記憶される度に通信履歴情報を報知することを特徴とする請求項２〜４のいずれかに記載の通信監視装置。
【請求項６】
前記報知手段は、予め定める時間間隔で通信履歴情報を報知することを特徴とする請求項２〜４のいずれかに記載の通信監視装置。
【請求項７】
前記報知手段は、通信履歴情報に含まれる識別符号に対応するデータ端末装置だけに通信履歴情報を報知することを特徴とする請求項２〜５のいずれかに記載の通信監視装置。
【請求項８】
通信回線を介して請求項１〜７のいずれかに記載の通信監視装置に接続されるデータ端末装置であって、
通信監視装置から報知される通信履歴情報を表示する表示手段を含むことを特徴とするデータ端末装置。
【請求項９】
通信監視装置の記憶手段に記憶される通信履歴情報を取得する情報取得手段をさらに含み、
前記表示手段は、取得された通信履歴情報を表示することを特徴とする請求項８記載のデータ端末装置。
【請求項１０】
前記情報取得手段は、通信監視装置の記憶手段に記憶される通信履歴情報の識別符号に基づいて、通信履歴情報のうち自身の識別符号に対応する通信履歴情報だけを取得することを特徴とする請求項９記載のデータ端末装置。
【発明の詳細な説明】
【技術分野】
【０００１】
本発明は、ローカルエリアネットワークなどのネットワークに接続される通信監視装置およびデータ端末装置に関する。
【背景技術】
【０００２】
インターネットを介しての音声通話パケットなどのデータの通信において、ローカルエリアネットワーク（Local Area Network；略称：ＬＡＮ）内の電話装置およびパーソナルコンピュータなどのデータ端末装置（Data Terminal Equipment ；略称：ＤＴＥ）が、どれだけの容量のデータの通信を行っているかを知るための典型的な従来技術が、特許文献１〜３に記載されている。
【０００３】
特許文献１に記載されているネットワークシステムでは、ゲートウェイおよび通信端末装置に接続される端末アダプタ装置に、自装置の通信管理情報を格納する手段と、通信端末装置に対して通信管理情報を出力する手段とが備えられ、ＬＡＮ伝送路内の通信管理情報を任意の通信端末装置に出力する。
【０００４】
特許文献２に記載されているルータは、課金情報に示される課金が予め定める金額である課金設定値を越えると、課金超過を報知するデータを送信する。
【０００５】
特許文献３に記載されている課金情報収集方式では、受信したパケットの宛先アドレス、パケット数、前記パケットの容量およびユーザデータの容量を受取って、保持している課金情報テーブルの現在値にそれぞれ加算して値の更新を行う。
【０００６】
【特許文献１】特開昭６３−２６８３３０号公報
【特許文献２】特開平１１−３５５３４２号公報
【特許文献３】特開２０００−４９７７４号公報
【発明の開示】
【発明が解決しようとする課題】
【０００７】
ネットワークを管理したり通信料を課金する場合には、発信情報だけではなく、着信情報ならびに通話開始時刻、通話終了時刻および通話時間も重要である。どの端末がどれだけ使っているかの情報があれば、管理する上で非常に有用である。しかし特許文献１〜３には、ＬＡＮ内の各データ端末装置が、何時、どれだけの時間利用されているかなどの利用状況を知ることができない。
【０００８】
本発明の目的は、通信回線を介して接続されるデータ端末装置の通信状況を確認することができる通信監視装置および通信状況を確認することができるデータ端末装置を提供することである。
【課題を解決するための手段】
【０００９】
本発明は、通信回線を介して接続されるデータ端末装置の通信状況を監視する通信監視装置であって、
通信しているデータ端末装置の識別符号を検出する識別符号検出手段と、
前記データ端末装置から送信される通信を開始することを表す通信開始パケットおよび通信を終了することを表す通信終了パケットを検出するパケット検出手段と、
通信開始パケットおよび通信終了パケットが送信された時刻を検出する時刻検出手段と、
検出されたデータ端末装置の識別符号を含む通信履歴情報を記憶する記憶手段と、
通信履歴情報を報知する報知手段とを含むことを特徴とする通信監視装置である。
【００１０】
また本発明は、通信開始パケットが送信された時刻および通信終了パケットが送信された時刻に基づいて、データ端末装置による通信時間を求める計時手段をさらに含み、
前記記憶手段は、求められた通信時間を含む通信履歴情報を記憶し、
前記報知手段は、求められた通信時間を含む通信履歴情報を報知することを特徴とする。
【００１１】
また本発明は、前記記憶手段は、通信開始パケットが送信された時刻を含む通信履歴情報を記憶し、
前記報知手段は、通信開始パケットが送信された時刻を含む通信履歴情報を報知することを特徴とする。
【００１２】
また本発明は、前記記憶手段は、通信終了パケットが送信された時刻を含む通信履歴情報を記憶し、
前記報知手段は、通信終了パケットが送信された時刻を含む通信履歴情報を報知することを特徴とする。
【００１３】
また本発明は、前記報知手段は、前記記憶手段に通信履歴情報が記憶される度に通信履歴情報を報知することを特徴とする。
【００１４】
また本発明は、前記報知手段は、予め定める時間間隔で通信履歴情報を報知することを特徴とする。
【００１５】
また本発明は、前記報知手段は、通信履歴情報に含まれる識別符号に対応するデータ端末装置だけに通信履歴情報を報知することを特徴とする。
【００１６】
また本発明は、通信回線を介して前述の通信監視装置に接続されるデータ端末装置であって、
通信監視装置から報知される通信履歴情報を表示する表示手段を含むことを特徴とするデータ端末装置である。
【００１７】
また本発明は、通信監視装置の記憶手段に記憶される通信履歴情報を取得する情報取得手段をさらに含み、
前記表示手段は、取得された通信履歴情報を表示することを特徴とする。
【００１８】
また本発明は、前記情報取得手段は、通信監視装置の記憶手段に記憶される通信履歴情報の識別符号に基づいて、通信履歴情報のうち自身の識別符号に対応する通信履歴情報だけを取得することを特徴とする。
【発明の効果】
【００１９】
本発明によれば、識別符号検出手段は、通信しているデータ端末装置の識別符号を検出する。パケット検出手段は、データ端末装置から送信される通信を開始することを表す通信開始パケットおよび通信を終了することを表す通信終了パケットを検出する。時刻検出手段は、通信開始パケットおよび通信終了パケットが送信された時刻を検出する。記憶手段は、検出されたデータ端末装置の識別符号を含む通信履歴情報を記憶する。報知手段は、通信履歴情報を報知する。このように報知される通信履歴情報によって、いずれのデータ端末装置が通信を行っているのかという通信状況を知ることができる。
【００２０】
また本発明によれば、計時手段は、通信開始パケットが送信された時刻および通信終了パケットが送信された時刻に基づいて、データ端末装置による通信時間を求める。記憶手段は、求められた通信時間を含む通信履歴情報を記憶する。報知手段は、求められた通信時間を含む通信履歴情報を報知する。これによってデータ端末装置がどれだけの時間通信したかという通信時間を知ることができる。
【００２１】
また本発明によれば、記憶手段は、通信開始パケットが送信された時刻を含む通信履歴情報を記憶し、報知手段は、通信開始パケットが送信された時刻を含む通信履歴情報を報知する。これによってデータ端末装置が何時通信を開始したかを知ることができる。
【００２２】
また本発明によれば、記憶手段は、通信終了パケットが送信された時刻を含む通信履歴情報を記憶し、報知手段は、通信終了パケットが送信された時刻を含む通信履歴情報を報知する。これによってデータ端末装置が何時通信を終了したかを知ることができる。
【００２３】
また本発明によれば、報知手段は、前記記憶手段に通信履歴情報が記憶される度に通信履歴情報を報知する。これによって常に最新の通信履歴情報が報知されるので、最新の通信状況を知ることができる。
【００２４】
また本発明によれば、報知手段は、予め定める時間間隔で通信履歴情報を報知する。これによって可及的に最新の通信履歴情報が報知されるので、最新の通信状況を知ることができる。
【００２５】
また本発明によれば、報知手段は、通信履歴情報に含まれる識別符号に対応するデータ端末装置だけに通信履歴情報を報知する。これによってデータ端末装置は必要な通信履歴情報を確実に得ることができる。
【００２６】
また本発明によれば、表示手段は、通信監視装置から報知される通信履歴情報を表示するので、データ端末装置の利用者は、表示される通信履歴情報を容易に確認することができる。
【００２７】
また本発明によれば、情報取得手段は、通信監視装置の記憶手段に記憶される通信履歴情報を取得するので、データ端末装置の利用者は、確実に通信履歴情報を知ることができる。
【００２８】
また本発明によれば、情報取得手段は、通信監視装置の記憶手段に記憶される通信履歴情報の識別符号に基づいて、通信履歴情報のうち自身の識別符号に対応する通信履歴情報だけを取得するので、データ端末装置の利用者は、必要な通信履歴だけを確実に知ることができる。
【発明を実施するための最良の形態】
【００２９】
図１は、本発明の実施の一形態の通信監視装置１およびデータ端末装置３Ａ，３Ｂを示すブロック図である。通信監視装置１は、たとえばルーティング機能を有し、ローカルエリアネットワーク（略称：ＬＡＮ）２などの通信回線を介して接続されるデータ端末装置３Ａ，３Ｂの通信状況を監視する。通信監視装置１は、ＬＡＮ側通信インターフェイス部４、トラフック監視部５、セッション情報処理部６、ＷＡＮ側通信インターフェイス部７、通信情報記憶部８および通信情報表示部９を含んで構成される。
【００３０】
報知手段であるＬＡＮ側通信インターフェイス部４は、データ端末装置３Ａ，３Ｂに接続され、データ端末装置３Ａ，３Ｂとの通信を行う。識別符号検出手段およびパケット検出手段であるトラフィック監視部５は、通信しているデータ端末装置３Ａ，３Ｂの識別符号と、データ端末装置３Ａ，３Ｂから他のデータ端末装置に発呼するときに送信される発呼を表す発呼パケットと、発呼パケットを受信したデータ端末装置から送信される着呼を表す着呼パケットと、通話を開始することを表す通話開始パケットと、通話を終了することを表す通話終了パケットとを検出する。時刻検出手段および計時手段であるセッション情報処理部は、発呼パケットおよび着呼パケットが送信された時刻を検出するとともに、発呼パケットが送信された時刻および着呼パケットが送信された時刻に基づいて、データ端末装置による通話時間を求める。トラフィック監視部５およびセッション情報処理部６は、たとえば中央演算処理装置（Central Processing Unit ；略称：ＣＰＵ）およびタイマで実現される。
【００３１】
ＷＡＮ側通信インターフェイス部７は、インターネットサービスプロバイダ（Internet
Service Provider ；略称：ＩＳＰ）のゲートウェイ１０を介して公衆インターネットなどのワイドエリアネットワーク（Wide Area Network ；略称：ＷＡＮ）１１に接続され、ＷＡＮ１１に接続される他のデータ端末装置との通信を行う。記憶手段である通信情報記憶部８は、検出されたデータ端末装置の識別符号、通話開始時刻、通話終了時刻および通信時間などを含む通信履歴情報を記憶する。報知手段である通信情報表示部９は、たとえば液晶表示装置（Liquid Crystal Display；略称：ＬＣＤ）で実現され、通信履歴情報を表示して利用者に報知する。
【００３２】
データ端末装置３Ａ，３Ｂは、たとえばパーソナルコンピュータおよびＩＰ電話装置で実現され、ＬＡＮ２に接続される他のデータ端末装置およびＷＡＮ１１に接続される他のデータ端末装置と通信し、特に音声通信をＶｏＩＰ（Voice over IP ）に従って行う。データ端末装置３Ａ，３Ｂは、通信監視装置１からの通信履歴情報を表示する表示部３ａ，３ｂを有する。
【００３３】
図２は、通信監視装置１による処理の手順を示すフローチャートである。ステップｓ０で手順が開始されて、ステップｓ１に進む。
【００３４】
ステップｓ１では、トラフィック監視部５は、ＬＡＮ側通信インターフェイス部４およびＷＡＮ側通信インターフェイス部７で通信されているパケットを監視して、ステップｓ２に進む。
【００３５】
ステップｓ２では、トラフィック監視部５は、監視しているパケットから発呼パケットが検出されたか否かを判断し、検出されたと判断するとステップｓ３に進み、検出されていないと判断するとステップｓ５に進む。
【００３６】
ステップｓ２において発呼パケットが検出されたと判断されてステップｓ３に進むと、ステップｓ３では、セッション情報処理部６は、発呼パケットに含まれる発呼元のデータ端末装置のＩＰアドレスなどの識別符号および当該データ端末装置の発呼先のデータ端末装置のＩＰアドレスを通信履歴情報として通信情報記憶部８に記憶して、ステップｓ４に進む。
【００３７】
ステップｓ４では、通信情報表示部９は、ステップｓ３で通信情報記憶部８に記憶された通信履歴情報を表示して、ＬＡＮ側通信インターフェイス部４は、発呼パケットの送信元に通信履歴情報を送信して、ステップｓ５に進む。
【００３８】
ステップｓ５では、トラフィック監視部５は、監視しているパケットから着呼パケットが検出されたか否かを判断し、検出されたと判断するとステップｓ６に進み、検出されていないと判断するとステップｓ８に進む。
【００３９】
ステップｓ５において着呼パケットが検出されたと判断されてステップｓ６に進むと、ステップｓ６では、セッション情報処理部６は、着呼パケットに含まれる発呼パケットに対して着呼したデータ端末装置のＩＰアドレスなどの識別符号を通信履歴情報として通信情報記憶部８に記憶して、ステップｓ７に進む。
【００４０】
ステップｓ７では、通信情報表示部９は、ステップｓ６で通信情報記憶部８に記憶された通信履歴情報を表示して、ＬＡＮ側通信インターフェイス部４は、着呼パケットの送信先に通信履歴情報を送信して、ステップｓ８に進む。
【００４１】
ステップｓ８では、トラフィック監視部５は、監視しているパケットから通話開始パケットが検出されたか否かを判断し、検出されたと判断するとステップｓ９に進み、検出されていないと判断するとステップｓ１０に進む。
【００４２】
ステップｓ８において通話開始パケットが検出されたと判断されてステップｓ９に進むと、ステップｓ９では、セッション情報処理部６は、通話開始パケットを検出した時刻、通話開始パケットの送信元のデータ端末装置の識別符号および通話開始パケットの送信先のデータ端末装置の識別符号を通信履歴情報として通信情報記憶部８に記憶して、ステップｓ１０に進む。
【００４３】
ステップｓ１０では、トラフィック監視部５は、監視しているパケットから通話終了パケットが検出されたか否かを判断し、検出されたと判断するとステップｓ１１に進み、検出されていないと判断するとステップｓ１に戻る。
【００４４】
ステップｓ１０において通話終了パケットが検出されたと判断されてステップｓ１１に進むと、ステップｓ９では、セッション情報処理部６は、通話終了パケットを検出した時刻、通話終了パケットの送信元のデータ端末装置の識別符号および通話終了パケットの送信先のデータ端末装置の識別符号、ならびに通話開始パケットが検出された時刻と前記通話開始パケットと同一の送信元および送信先となっている通話終了パケットが検出された時刻とに基づいて求められる通話時間を通信履歴情報として通信情報記憶部８に記憶して、ステップｓ１２に進む。
【００４５】
ステップｓ１２では、通信情報表示部９は、ステップｓ１１で通信情報記憶部８に記憶された通信履歴情報を表示して、ＬＡＮ側通信インターフェイス部４は、通話開始パケットの送信元に通信履歴情報を送信して、ステップｓ１に戻る。
【００４６】
このように図２に示す手順では、通信情報記憶部８に通信履歴情報が記憶される度に、通信情報表示部９に通信履歴情報が表示される。また通信情報表示部９における通信履歴情報の表示は、予め定める時間間隔で行うようにしてもよい。
【００４７】
データ端末装置３Ａ，３Ｂは、通信監視装置１からの通信履歴情報を受信すると、受信した通信履歴情報を表示部３ａ，３ｂに表示する。またデータ端末装置３Ａ，３Ｂは、通信監視装置１の通信情報記憶部８に記憶されている通信履歴情報を取得する情報取得手段を有する構成であってもよく、情報取得手段によって取得され通信履歴情報を表示部３ａ，３ｂに表示するようにしてもよい。データ端末装置３Ａ，３Ｂからの通信履歴情報の取得は、たとえば予め定める時間間隔で行われてもよい。
【００４８】
図３は、通話情報表示部９に表示される通信履歴情報を示す図である。通話情報表示部９に表示される通信履歴情報は、通話開始パケットを送信したデータ端末装置のＩＰアドレスと、通話開始パケットを受信したデータ端末装置のＩＰアドレスと、通話開始パケットがトラフィック監視部５によって検出された時刻と、通話終了パケットがトラフィック監視部５によって検出された時刻と、通話時間とを含む。
【００４９】
図３の参照符号Ａ１に示す通信履歴情報は、ＷＡＮ１１に接続されるＩＰアドレスが192.168.2.4のデータ端末装置（図示せず）から、ＬＡＮ２に接続されるＩＰアドレスが192.168.1.2のデータ端末装置３Ａに発呼して、通話開始パケットが９時に送信されて、通話終了パケットが９時２０分に送信されて、通話時間が２０分間であることを示している。図３の参照符号Ａ２に示す通信履歴情報は、ＷＡＮ１１に接続されるＩＰアドレスが192.168.3.4のデータ端末装置（図示せず）から、１１時に、ＬＡＮ２に接続されるＩＰアドレスが192.168.1.2のデータ端末装置３Ａに発呼したけれども、通話が行われなかったことを示している。図３の参照符号Ａ３に示す通信履歴情報は、ＬＡＮ２に接続されるＩＰアドレスが192.168.1.3のデータ端末装置３Ｂから、ＷＡＮ１１に接続されるＩＰアドレスが192.168.2.4のデータ端末装置（図示せず）に発呼して、通話開始パケットが１０時２０分に送信されて、通話終了パケットが１０時３５分に送信されて、通話時間が１５分間であることを示している。図３の参照符号Ａ４に示す通信履歴情報は、ＬＡＮ２に接続されるＩＰアドレスが192.168.1.3のデータ端末装置３Ｂから、１０時２０分に、ＷＡＮ１１に接続されるＩＰアドレスが192.168.3.4のデータ端末装置（図示せず）に発呼したけれども、通話が行われなかったことを示している。
【００５０】
通話情報表示部９に表示される通信履歴情報は、たとえば発呼したデータ端末装置のＩＰアドレスおよび着呼したデータ端末装置のＩＰアドレスで並び替えをして表示するようにしてもよい。これによってデータ端末装置別の通信状況を容易に確認することができる。
【００５１】
通信監視装置１からデータ端末装置３Ａ，３Ｂに通信履歴情報を送信するとき、各データ端末に関連する通信履歴情報だけを送信するようにしてもよい。またデータ端末装置３Ａ，３Ｂが通信監視装置１から通信履歴情報を取得するとき、通信監視装置１は、当該データ端末装置に関連する通信履歴情報だけを取得させるようにしてもよい。この場合、取得できる権限をデータ端末装置に与えるようにしてもよい。このように通信監視装置１を通信履歴情報に関するデータベースサーバおよび共有メモリとして機能させてもよい。
【００５２】
以上のように本実施の形態の通信監視装置１によれば、どのデータ端末装置が発呼したか、どのデータ端末装置が着呼したか、何時通話が開始されたか、何時通話が終了したか、通話時間はどれくらいか等、ネットワーク管理および課金の際に重要となる情報を容易に得ることができる。またルータとしても機能する通信監視装置１がＬＡＮ２の通信状況を監視しているので、ＬＡＮ２内の通信状況を容易に検出することができる。さらに通信履歴情報を、各データ端末装置だけが個別に保持するのではなく、前述のような通信監視装置１が保持しているので、通信監視装置１に接続可能な全てのデータ端末装置が通信履歴情報を利用できるなど、通信履歴情報の再利用が容易である。
【図面の簡単な説明】
【００５３】
【図１】本発明の実施の一形態の通信監視装置１およびデータ端末装置３Ａ，３Ｂを示すブロック図である。
【図２】通信監視装置１による処理の手順を示すフローチャートである。
【図３】通話情報表示部９に表示される通信履歴情報を示す図である。
【符号の説明】
【００５４】
１  通信監視装置
３Ａ，３Ｂ  データ端末装置
４  ＬＡＮ側通信インターフェイス部
５  トラフック監視部
６  セッション情報処理部
７  ＷＡＮ側通信インターフェイス部
８  通信情報記憶部
９  通信情報表示部
【図１】
2005151174.tif 000003
【図２】
2005151174.tif 000004
【図３】
2005151174.tif 000005